(57)【要約】【課題】比較的厚い原稿でも原稿載置板に対してずれるのを抑制する画像処理装置を提供する。【解決手段】スキャナ付きプリンタ装置のスキャナ部には、ガラス板４に載置される原稿の中央端部を上方から押える原稿押さえ部７が設けられている。原稿押さえ部７は、ガイド孔１１、柱状部８、原稿押さえ本体９およびバネ１０を備えて構成される。ガイド孔１１はガラス板４が配置される領域の周囲の領域に形成されている。柱状部８は、そのガイド孔１１に挿通されて上下方向にスライドする。原稿押さえ本体９は柱状部８の上部の部分に、ガラス板４の側に向かって突出するように設けられている。バネ１０は、ガイド孔１１の近傍に設けられた開口部に配設されて、原稿押さえ本体９がガラス板４の側に付勢される。【選択図】図３
2008118539.tif 000002
【特許請求の範囲】
【請求項１】
原稿が載置される原稿載置板と、
前記原稿載置板の下方に配設され、前記原稿載置板に載置された原稿の画像を読み取る画像読み取り本体部と、
前記原稿載置板に載置された原稿の所定の部分を上方から押える原稿押さえ部と、
前記原稿押さえ部により原稿を押えた状態で開閉され、前記原稿載置板に載置された原稿の全体を上方から覆うカバー部と
を有し、
前記原稿押さえ部は、
前記画像読み取り本体部における前記原稿載置板の領域の外側の領域に設けられた所定の深さのガイド孔と、
前記ガイド孔に挿通されて上下方向に可動する柱状部と、
前記柱状部と前記画像読み取り本体部との間に装着され、前記柱状部を前記画像読み取り本体部の側に付勢するバネと、
前記柱状部の上端部に前記原稿載置板の側に向かって突出するように設けられ、前記バネによる付勢力によって原稿を押える原稿押さえ本体と
を備えた、画像処理装置。
【請求項２】
原稿が載置される原稿載置板と、
前記原稿載置板に載置された原稿の画像を読み取る画像読み取り本体部と、
上下方向にスライド可能に取付けられ、前記原稿載置板に向って付勢することにより前記原稿載置板に載置された原稿を上方から押える原稿押さえ部と
を備えた、画像処理装置。
【請求項３】
前記原稿押さえ部は、
前記原稿載置板に載置された原稿の所定の部分を押える原稿押さえ本体と
前記原稿押さえ本体に取付けられ、上下方向にガイドされながら前記原稿押さえ本体をスライドさせる被ガイド部と
を含む、請求項２記載の画像処理装置。
【請求項４】
前記原稿押さえ本体は、原稿の中央端部を押える所定の位置に配設された、請求項３記載の画像処理装置。
【発明の詳細な説明】
【技術分野】
【０００１】
本発明は画像処理装置に関し、特に、原稿の画像を読み取る画像読み取り部を備えた画像処理装置に関するものである。
【背景技術】
【０００２】
画像処理装置の一つとして、ガラス板等の原稿載置板上に載置された原稿の画像を所定の位置に配置させたセンサによって読み取る画像処理装置がある。たとえば特許文献１に提案されている画像処理装置では、図１０に示すように、原稿載置板１０２の端部に支柱１０３が取付けられて、その支柱１０３の先端部分にスキャナヘッド１０４が取付けられている。また、原稿載置板１０２における所定の位置に原稿を押える原稿押さえ部１０５が設けられている。原稿載置板１０２に載置された原稿（図示せず）は、その原稿押さえ部１０５によって原稿の周辺部が押えられる。原稿の画像は、その状態でスキャナヘッド１０４により原稿の上方から読み取られることになる。
【０００３】
また、特許文献２には、ガラス板の原稿載置板の下方に走査させながら画像を読み取るセンサを配設した画像処理装置が提案されている。図１１に示すように、この画像処理装置では、原稿が載置されるガラス板１０６の側方に、ガラス板１０６に載置される原稿（図示せず）を押える原稿押さえ部１０７が取付けられている。原稿は原稿面を下方にしてガラス板１０６に載置され、載置された原稿の画像は、原稿押さえ部１０７によって原稿の周辺部が押えられた状態でセンサ（図示せず）を走査させながら読み取られることになる。
【０００４】
さらに、特許文献３にも、ガラス板の原稿載置板の下方に走査させながら画像を読み取るセンサを配設した画像処理装置が提案されている。図１２に示すように、この画像処理装置では、原稿が載置されるガラス板１１０の側方には、原稿の全体を上方から押える圧板１０８の開閉動作に合わせて、ガラス板１１０に載置される原稿の端部を押える原稿押さえ部１０９が取付けられている。
【特許文献１】特許第３６７５７８５号公報
【特許文献２】特開平９−１６３０４８号公報
【特許文献３】特開平６−１７８０６０号公報
【発明の開示】
【発明が解決しようとする課題】
【０００５】
しかしながら、従来の画像処理装置では次のような問題点があった。特許文献１において提案されている画像処理装置の原稿押さえ部１０５では、原稿載置板１０２の所定の位置に配置されるガイド１０５ａに対し、軸１０５ｂを介して原稿押さえ部材１０５ｃが回動可能に取付けられている。そのため、原稿の厚みが厚くなるにしたがって原稿押さえ部材１０５ｃによって原稿を所定の位置に押えておくことが難しくなり、原稿載置板１０２における所定の位置に対して原稿がずれてしまうおそれがあった。
【０００６】
また、特許文献２において提案されている画像処理装置の原稿押さえ部１０７では、支点１０７ａを中心として枢支されて、少しだけ原稿押さえ部材１０７ｂが回動するよう構成されている。そのため、原稿の厚みが厚くなるにしたがって、原稿を所定の位置に押えておくことが難しくなり、ガラス板１０６における所定の位置に対して原稿がずれてしまうおそれがあった。
【０００７】
そして、特許文献３において提案されている画像処理装置の原稿押さえ部１０９では、原稿の全体を上方から押える圧板１０８を閉じる動作に合わせて、原稿押さえ部１０９が原稿の端部を押えるよう構成されている。そのため、圧板１０８を閉じる途中では原稿が確実に押えられておらず、圧板１０８を閉じる際の風圧によって原稿がガラス板１１０の所定の位置からずれてしまうおそれがあった。
【０００８】
このように、従来の画像処理装置では、読み取られる原稿の厚さが厚くなると、原稿押さえ部によって確実に原稿を押えることが困難になり、原稿が原稿載置板における所定の位置に対してずれてしまうおそれが多分にあった。
【０００９】
本発明は上記問題点を解決するためになされたものであり、その目的は、比較的厚い原稿でも原稿載置板に対してずれるのを抑制する画像処理装置を提供することである。
【課題を解決するための手段】
【００１０】
本発明に係る画像処理装置は、原稿が載置される原稿載置板と画像読み取り本体部と原稿押さえ部とカバー部とを備えている。画像読み取り本体部は原稿載置板の下方に配設され、原稿載置板に載置された原稿の画像を読み取る。原稿押さえ部は原稿載置板に載置された原稿の所定の部分を上方から押える。カバー部は原稿押さえ部により原稿を押えた状態で開閉され、原稿載置板に載置された原稿の全体を上方から覆う。そして、原稿押さえ部は、所定の深さのガイド孔と柱状部とバネと原稿押さえ本体とを備えている。所定の深さのガイド孔は画像読み取り本体部における原稿載置板の領域の外側の領域に設けられている。柱状部はガイド孔に挿通されて上下方向に可動する。バネは柱状部と画像読み取り本体部との間に装着され、柱状部を画像読み取り本体部の側に付勢する。原稿押さえ本体は柱状部の上端部に原稿載置板の側に向かって突出するように設けられ、バネによる付勢力によって原稿を押える。
【００１１】
この構成によれば、原稿を押える原稿押さえ部がガイド孔にガイドされながら上下方向にスライド可能とされる。これにより、ある支点を軸として回動させる態様の従来の原稿押さえ部の場合と比べて、より厚みのある原稿を原稿載置板との間にしっかりと挟み込むことができ、原稿が所定の位置からずれるのを確実に防止することができる。
【００１２】
本発明に係る他の画像処理装置は、原稿が載置される原稿載置板と画像読み取り本体部と原稿押さえ部とを備えている。画像読み取り本体部は原稿載置板に載置された原稿の画像を読み取る。原稿押さえ部は上下方向にスライド可能に取付けられ、原稿載置板に向って付勢することにより原稿載置板に載置された原稿を上方から押える。
【００１３】
この構成によれば、原稿を押える原稿押さえ部が上下方向にスライド可能に取付けられている。これにより、ある支点を軸として回動させる態様の従来の原稿押さえ部の場合と比べて、より厚みのある原稿を原稿載置板との間にしっかりと挟み込むことができ、原稿が所定の位置からずれるのを確実に防止することができる。
【００１４】
厚みのある原稿を原稿載置板との間にしっかりと挟み込むには、原稿押さえ部は、原稿載置板に載置された原稿の所定の部分を押える原稿押さえ本体と、その原稿押さえ本体に取付けられ、上下方向にガイドされながら前記原稿押さえ本体をスライドさせる被ガイド部とを含むことが好ましい。
【００１５】
また、書籍や２つ折りにされた原稿を確実に押えるには、原稿押さえ本体は、原稿の中央端部を押える所定の位置に配設されていることが好ましい。
【発明を実施するための最良の形態】
【００１６】
本発明の実施の形態に係る画像処理装置として、スキャナ付きプリンタ装置を例に挙げて説明する。図１および図２に示すように、スキャナ付きプリンタ装置１は、画像を読み取るスキャナ部２と画像を印刷するプリンタ部３とを備えて構成される。プリンタ部３は、所定のレーザ光線を用紙に照射することによって画像を転写するレーザ方式が採用されている。そのため、用紙はプリンタ部３の下部から給紙されて、プリンタ部３の上部から排紙される。
【００１７】
スキャナ部２はそのプリンタ部３の上に配設され、原稿が載置されるガラス板４と、そのガラス板４に載置された原稿の画像をガラス板４の下方から読み取るセンサ（図示せず）を収容した画像読み取り本体部２ａとを備えている。スキャナ部２の前面側には、スキャナ部２およびプリンタ部３を操作するための操作パネル５が設けられ、また、ガラス板４に載置された原稿の全体を覆うカバー部６が開閉自在に取付けられている。
【００１８】
そして、このスキャナ部２には、ガラス板４に載置される原稿の中央端部を上方から押える原稿押さえ部７が設けられている。図３および図４に示すように、その原稿押さえ部７は、ガイド孔１１、柱状部８、原稿押さえ本体９およびバネ１０を備えて構成される。図５に示すように、ガイド孔１１は画像読み取り本体部におけるガラス板４が配置される領域の周囲の領域に形成されている。柱状部８は、そのガイド孔１１に挿通されて上下方向（矢印）にスライドする。原稿押さえ本体９は柱状部８の上部の部分に、ガラス板４の側に向かって突出するように設けられている。
【００１９】
バネ１０は、ガイド孔１１の近傍に設けられた開口部１２に配設され、一端が柱状部８の上部に取付けられ、他端がスキャナ本体部２ａに取付けられている。原稿押さえ本体９は、バネ１０の弾性力によって矢印に示すようにガラス板４の側に常時付勢されている。本スキャナ付きプリンタ装置１は上記のように構成される。
【００２０】
次に、上述したスキャナ付きプリンタ装置１による原稿の画像読み取り手順について説明する。図６に示すように、厚みのある原稿２０をガラス板４上に載置する際に、まず、原稿押さえ部７の上部を手で掴み、バネ１０の付勢力に抗して原稿押さえ部７を上方に引っ張り上げる。そして、原稿押さえ部７を上方に上げた状態で、その原稿２０をガラス板４における所定の位置に載置する。次に、原稿押さえ部７を降ろし、図７に示すように、原稿押さえ本体９とガラス板４との間に原稿２０を挟み込み、バネ１０の付勢力によって原稿２０を上方から押える。
【００２１】
この状態で、カバー部６（図２を参照）を閉じ、操作パネル５から所望の操作を行なって原稿２０の画像を読み取る操作を行なう。画像の読み取りが完了した原稿２０は、原稿押さえ部７を引っ張り上げた状態で新たな原稿と置き換えられる。こうして、原稿の画像が順次読み取られることになる。読み取られた原稿の画像は、必要に応じてプリンタ部３により所定の用紙に印刷（印画）される。
【００２２】
上述したスキャナ付きプリンタ装置１によれば、原稿２０を押える原稿押さえ部７がガイド孔１１にガイドされながら上下方向にスライド可能とされる。これにより、ある支点を軸として回動させる態様の従来の原稿押さえ部の場合と比べて、より厚みのある原稿２０をガラス板４との間にしっかりと挟み込むことができ、原稿が所定の位置からずれるのを確実に防止することができる。
【００２３】
また、カバー部６を閉じる前に原稿押さえ部７によって原稿２０が押えられることで、カバー部を閉じる動作に合わせて原稿を押さえる場合と比べて、カバー部６を閉じる際に風圧等によって原稿２０がずれるのを阻止することができる。
【００２４】
なお、上述したスキャナ付きプリンタ装置１では、原稿２０として比較的厚い書類を例に挙げてその画像読み取り手順を説明したが、このような書類の他に、たとえば書籍等の画像の読み取りにも適用することができる。この場合には、図８に示すように、まず、原稿押さえ部８を上方に引っ張り上げた状態で、書籍２１をガラス板４における所定の位置に載置する。
【００２５】
次に、原稿押さえ部７を降ろし、図９に示すように、原稿押さえ本体９とガラス板４との間にその書籍２１の背の部分２１ａを挟み込み、バネ１０の付勢力によってその背の部分２１ａを上方から押える。こうすることで、書籍２１を広げた状態で背の部分２１ａに近い内側の部分がガラス板４に接触して画像を確実に読み取ることができる。なお、原稿としては、このような厚い書類や書籍等に限られず、通常の薄い書類等にも当然に適用することができる。
【００２６】
また、画像処理装置としてスキャナ付きプリンタ装置１を例に挙げて説明したが、スキャナ単体の画像処理装置や、コピー機等の原稿を原稿載置板に載置した状態で原稿の画像を読み取る画像処理装置にも適用することが可能である。
【００２７】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２８】
【図１】本発明の実施の形態に係るスキャナ付きプリンタ装置の斜視図である。
【図２】同実施の形態において、図１に示すスキャナ付きプリンタ装置のカバー部を開けた状態を示す斜視図である。
【図３】同実施の形態において、原稿押さえ部およびその周辺を示す第１の部分拡大斜視図である。
【図４】同実施の形態において、原稿押さえ部およびその周辺を示す第２の部分拡大斜視図である。
【図５】同実施の形態において、図３または図４に示す断面線Ｖ−Ｖにおける部分断面図である。
【図６】同実施の形態において、図１に示すスキャナ付きプリンタ装置による原稿の画像読み取り手順を説明するための第１の状態を示す部分拡大斜視図である。
【図７】同実施の形態において、図６に示す状態の後の第２の状態を示す部分拡大斜視図である。
【図８】同実施の形態において、図１に示すスキャナ付きプリンタ装置による他の原稿の画像読み取り手順を説明するための第１の状態を示す部分拡大斜視図である。
【図９】同実施の形態において、図８に示す状態の後の第２の状態を示す部分拡大斜視図である。
【図１０】従来の第１の画像処理装置を示す側面図である。
【図１１】従来の第２の画像処理装置における原稿押さえ部を示す部分側面図である。
【図１２】従来の第３の画像処理装置における原稿押さえ部を示す部分側面図である。
【符号の説明】
【００２９】
１  スキャナ付きプリンタ装置、２  スキャナ部、２ａ  画像読み取り本体部、３  プリンタ部、４  ガラス板、５  操作パネル、６  カバー部、７  原稿押さえ部、８  柱状部、９  原稿押さえ本体、１０  バネ、１１  ガイド孔、１２  開口部、２０  原稿、２１  書籍。
【図１】
2008118539.tif 000003
【図２】
2008118539.tif 000004
【図３】
2008118539.tif 000005
【図４】
2008118539.tif 000006
【図５】
2008118539.tif 000007
【図６】
2008118539.tif 000008
【図７】
2008118539.tif 000009
【図８】
2008118539.tif 000010
【図９】
2008118539.tif 000011
【図１０】
2008118539.tif 000012
【図１１】
2008118539.tif 000013
【図１２】
2008118539.tif 000014